(57)【要約】      （修正有）【課題】釣針にハリス糸を結ばずに誰でも簡単に釣針をハリス糸に装着できる釣針の目的と従来の技術を生かした新しい釣針を提供する。【解決手段】軸末端部Ａを残し、軸頭部Ｍを２軸に加工し、２軸に加工した２軸部分を片ハリス糸止め形体に加工した物と軸末端部Ａを残し、軸頭部Ｍからフック部Ｋの手前まで２軸に加工し２軸の中央部より両方向に対し楔形Ｂに両ハリス糸止め形体に加工する事で、釣針の軸部にハリス糸が両方向に簡単に装着できる。【選択図】図３
2013172702.tif 000002
【特許請求の範囲】
【請求項１】
軸末端部を残し軸頭部を２軸に加工し、加工した２軸部全長のフック部側の４分の１から２分の１箇所の２軸を各１本、１本を半円径に形成加工した２軸による円形体に形成加工した物、又は２軸の１軸を三角形体もしくは半円形体に形成加工し、残り４分の３から２分の１部分を形成加工部分より軸末端部に対し楔形のハリス糸止め形体に加工された釣針
【請求項２】
軸末端部を残し軸末端部分からフック部手前まで２軸に加工した２軸部全長の中央部分の１軸を三角形体又は半円形体に形成加工し、形成加工部分より軸末端部側とフック部側の両方向に楔形に加工し、両ハリス糸止め形体に加工した釣針
【請求項３】
軸末端部を残し軸頭部を２軸に加工した２軸よって軸頭部を軸末端部に対し楔形のハリス糸止め形体に加工された楔形部分をフック側と反対方向へ３度から３５度の間で曲げられている釣針
【請求項４】
軸末端部を残し軸頭部からフック部手前まで２軸に加工した２軸の中央部分を各１本１本半円径に形成加工した２軸の円形の形成加工部分より軸末端部側とフック部側の両方向に楔形に両ハリス止め加工した釣針
【発明の詳細な説明】
【技術分野】
【０００１】レジャー釣り、漁師などの釣り用の釣針に関する。
【背景技術】
【０００２】従来の釣針は軸頭部を潰した物と潰した箇所に穴を開けるか軸頭部を円形に加工した物だけである、軸頭部を潰した釣針は軸頭部にハリス糸を結束する、軸頭部に穴を開けた物は穴の部分、軸頭部を円形加工した物は円形加工部分にハリス糸かハリス用ワイヤーを穴に通し結束する、当発明の釣針は軸頭部のハリス糸止め加工部でハリス糸に釣針を誰でも簡単に装着できハリス糸を結ぶ難点を無くした物である。
【先行技術文献】
【特許文献】
【０００３】
【特許文献１】特開平１０−１６５０４７号公報
【特許文献２】特開平１１−０１８６２５号公報
【特許文献３】特開２００９−０４４９７３号公報
【非特許文献】
【０００４】
【非特許文献１】無し
【発明の概要】
【発明が解決する為の課題】
【０００５】釣針にハリス糸を結束せずに誰でも簡単に釣針をハリス糸に装着できる釣針の目的と従来の針技術を生かした新しい釣針の開発を目的とする。
【発明が解決する為の手段】
【０００６】軸末端部を残し、軸頭部を２軸に加工し２軸に加工した２軸部分を片ハリス糸止め形体に加工した物と軸末端部を残し、軸頭部からフック部の手前まで２軸に加工し２軸の中央部より両方向に対し楔形に両ハリス糸止め形体に加工する事で鮎の友釣用臍針に向き鼻官からのハリス糸と掛け針のハリス糸が簡単に装着できる。
【発明の効果】
【０００７】当発明の釣針は軸末端部を残し、軸頭部を２軸に加工し、２軸部分のフック側４分の１から２分の１、部分の各１軸を半円径、半円径の円形体に形成し、残り４分の３から２分の１部分を軸末端部に対し楔形に加工する事でハリス糸を円形体形成部分に通し、ハリス糸を軸末端部方向へ引くことで、ハリス糸に釣針を装着出来る、又フック部手前から軸末端部を残し軸末端部まで２軸に加工し、中央部の１軸を三角形体か半円形体又は各１軸を半円径、半円径の２軸による円形体に形成し、中央形成加工部分より軸末端部側とフック部側に対し楔形に加工することで、中央形成部分に２本のハリス糸を通し、各１本のハリス糸を軸末端部側とフック部側方向へハリス糸を引くことで、釣針の軸部にハリス糸が両方向に簡単に装着できる。
【図面の簡単な説明】
【０００８】
【図１】１−１は軸頭部又はフック側から軸末端部分まで２軸に加工した部分の各１本１本を半円形に加工し、２軸の円形体に形体加工した中央部箇所の断面図、１−２は２軸に加工したフック側と２軸部中央の１軸を三角形体又は半円形体に形成加工した中央部箇所の断面図で有る。
【図２】軸末端部を残し、軸頭部を２軸に加工した箇所のフック側を２軸によって円形体に形成し形成部分より軸頭部に対し楔形にハリス糸止め加工した釣針の図で有る。
【図３】３−１は軸末端部を残し、フック部手前から軸頭部まで２軸に加工した中央部分の１軸を三角形体に加工した加工部分より軸末端部側とフック部側の両方向を楔形のハリス糸止め形体に加工した釣針の図と３−２はフック部手前から軸末端部を残し、２軸に加工した中央部分の１軸を半円形体に加工した加工部分より軸末端部側とフック部側の両方向を楔形のハリス糸止め形体に加工した釣針の図で有る。
【図４】４−１は軸末端部を残し、軸頭部を２軸に加工した部分のフック側の１軸を三角形体に加工し、三角形体に加工した部分より軸末端部に対し楔形にハリス糸止め形体に加工した釣針の図と４−２は軸末端部を残し、軸頭部を２軸に加工した部分のフック側の１軸を半円形体に加工し、半円形体に加工した部分より軸末端部に対し楔形にハリス糸止め形体に加工した釣針の図である。
【図５】軸末端部を残し、フック部手前から軸頭部まで２軸に加工した中央部を２軸によって円形体に形成加工し、円形加工部分より軸末端部側とフック部側の両方向に楔形のハリス糸止め形体に加工した釣針の図で有る。
【図６】図２の釣針図の側面図である。
【発明の実施するための形態】
【実施例】
【０００９】発明の実施形態を実施例に基づき図面を参照して説明する。
図１、１−１はＣ２軸による円形加工部の断面図、１−２はＥ２軸部の１軸を三角形体に加工した部分とＦ２軸部の１軸を半円形体に加工した部分の断面図である、
図２、Ａ軸末端部を残した２軸に加工し、２軸に加工した全長の４分の１から２分の１の部分でＫフック側を１軸、１軸半円径の２軸によって円形体に形成し形成部分よりＡ軸末端部に対しＢ楔形に加工しハリス糸止め形体にする。
図３、３−１はフック部手前から軸末端部を残し、２軸に加工した１軸の中央部分を三角形体に加工し、加工した部分より軸末端部側とフック部側の両方向を楔形に加工し、両側をハリス糸止め形体にした釣針の図、３−２は軸末端部を残し、フック部手前から軸頭部に対し２軸に加工した１軸の中央部分を半円形体に加工し加工部分より軸末端部側とフック部側の両方向に楔形に加工し、両側をハリス止め形体に加工した釣針の図で有る。
上記文面の様に釣針の軸部を加工しハリス糸に釣針を装着し鮎の友釣り、アマゴ釣り、黒鯛、ハマチ等海釣、河釣と数年間実際に使用実験と研究の繰り返しによって完成させた物で、最終実験結果が良好であった。
【符号の説明】
【００１０】Ａ  軸末端部
Ｂ  楔形部分
Ｃ  ２軸による円形体加工部分
Ｄ  軸部
Ｅ  ２軸部の一片の三角形体加工部分
Ｆ  ２軸部の一片の半円形体加工部分
Ｇ  針先
Ｋ  フック部
Ｍ  軸頭部
Ｈ−Ｈ  三角形状部分、半円形状部分、２軸による円形体加工部分の断面図
【図１】
2013172702.tif 000003
【図２】
2013172702.tif 000004
【図３】
2013172702.tif 000005
【図４】
2013172702.tif 000006
【図５】
2013172702.tif 000007
【図６】
2013172702.tif 000008